(57)【要約】【課題】デカールシートに関し、簡素な構成で、位置決め用余白部の形状を工夫して、対象物への貼付け位置決め性を維持しつつ、剥離用シートと支持シートの面積を縮小することで、製造コストの増加を抑制する。【解決手段】  長方形に形成された貼付けシート９の下面の一部を形成するラベル表示シート５と、上側全面を形成する支持シート８と、位置決め用余白部１０とを備え、位置決め用余白部１０の外側縁部が、支持シート８の長手方向に延びる少なくとも一辺の位置決め直線１０ａ，１０ｂと、切欠き線１０ｃとで形成されるとともに、複数の貼付けシート９のうち、一の貼付けシート９と、反転させた他の一の貼付けシート９Ｂとが、切欠き線１０ｃを互いに接した状態で一対をなして剥離用シート２の上面に配設されるようにした。【選択図】図３
2011128196.tif 000002
【特許請求の範囲】
【請求項１】
剥離用シートの上面に、長方形に形成された貼付けシートが複数配設されたデカールシートであって、
前記貼付けシートの下面の一部を形成するとともに、下面に接着層を有するラベル表示シートと、
前記貼付けシートの上側全面を形成するとともに、下面に粘着層を有する支持シートと、
前記支持シートの長手方向の一端側部の、前記支持シートと前記ラベル表示シートとが重畳しない部分に設けられた、前記ラベル表示シートの貼付け対象物への貼付け位置を定める位置決め用余白部と、を備え、
前記位置決め用余白部の外側縁部が、前記長手方向に延びる少なくとも一辺の位置決め直線と、前記位置決め直線の対辺側を切欠き形成されてなる切欠き線とで形成されるとともに、
前記複数の貼付けシートのうち、一の貼付けシートと、前記一の貼付けシートに対して反転させた他の一の貼付けシートとが、前記切欠き線を互いに接した状態で一対をなして前記剥離用シートの上面に配設された
ことを特徴とするデカールシート。
【請求項２】
前記位置決め直線が互いに垂直に交わる二辺の直線からなる、
ことを特徴とする請求項１記載のデカールシート。
【発明の詳細な説明】
【技術分野】
【０００１】
本発明は、車両のボデー側面等に貼り付けられるデカールシートに関し、特に、デカールを貼り付ける際にデカールを支持すべく積層された支持シートの位置決め用余白部を備えたデカールシートに関する。
【背景技術】
【０００２】
従来、車両のボデー側面等に貼り付けられるデカールと称される文字や絵柄が描かれた粘着テープは、図６，７に示すように、剥離用シート１０１の上面に、デカール（ラベル表示シート）１０２と支持シート１０３とを積層してなる貼付けシート１０４が配設されて構成されるデカールシート１００として用意される。通常、デカールシート１００は、大きなシートに複数個が材料取りされて形成され、個々のデカール１０２単位に切り分けられて使用される。
【０００３】
例えば、特許文献１には、この種のデカールシートに関連する構成が示されている。
デカール１０２を車体のボデー側面等（以下、対象物という）に貼り付けるには、この貼付けシート１０４を剥離用シート１０１から剥離して、支持シート１０３を掴んで、支持シート１０３を対象物の所定の貼付け位置に位置合わせして、支持シート１０３の表面から対象物の表面にデカール１０２を押し付けて貼り付ける。その後、支持シート１０３をデカール１０２から剥離することで、デカール１０２の貼り付け作業が完了する。
【０００４】
ところで、支持シート１０３を対象物の所定の位置に位置合わせする際に、支持シート１０３を掴むことになるが、支持シート１０３の裏面にはデカール１０２が配置されているので、支持シート１０３を手で掴んだ際に、デカール１０２の裏面、つまり、粘着面に指が触れると、デカール１０２の粘着面の粘着性が低下し粘着不良を招くおそれがある上、デカール１０２の粘着面が指に粘着するため、貼り付けの作業性も悪く、位置ずれして貼り付けられるおそれも高まる。
【０００５】
そこで、支持シート１０３には、裏面にデカール１０２が存在しない、つまり、デカール１０２の外側に延設された位置決め用余白部１０３ａが設けられている。これにより、位置決め用余白部１０３ａを掴んでデカール１０２の粘着面に接触することなく対象物の所定の貼付け位置に位置合わせを行うことができ、粘着不良を招くことなく、作業性も向上させながら、適正位置に容易にデカール１０２を貼り付けることができる。
【０００６】
また、この位置決め用余白部１０３ａの端縁を、対象物の位置決め基準線（例えば、車体のボデー側面のパネル端縁やパネルに形成された凹凸形状）に合わせることにより、容易に精度よく位置合わせできるように、位置決め用余白部１０３ａの端縁は、対象物のデカール１０２の貼り付け位置から対象物の位置決め基準線に至るように延設される。
【先行技術文献】
【特許文献】
【０００７】
【特許文献１】実開平７−２６８６２号公報
【発明の概要】
【発明が解決しようとする課題】
【０００８】
ところで、従来のデカールシート１００においては、デカール１０２を対象物の所定の位置に正確に貼り付けるためには、剥離用シート１０１や位置決め余白部１０３ａを備えた支持シート１０３を用いる必要があるが、対象物にラベル表示シート１０２を最終的に貼り付けた後は、この剥離用シート１０１と支持シート１０３とは廃棄される。
特に、支持シート１０３は位置決め用余白部１０３ａの分だけ面積が拡大され、剥離用シート１０１も支持シート１０３に合わせた形状になるため、位置決め用余白部１０３ａの分だけ面積が拡大される。この拡大された分だけ、離用シート１０１及び支持シート１０３の廃棄される量が増大する。
【０００９】
剥離用シート１０１及び支持シート１０３の廃棄量が増大すれば、製造コストの増加を招来する他、省資源化の観点からも好ましくないといといった課題がある。
個々のデカール１０２単位に切り分けられたデカールシート１００は、図７に示すように、通常矩形であるが、位置決め用余白部１０３ａに要求される機能を考えると、デカールシート１００は必ずしも矩形である必要はない。
【００１０】
本発明はこのような課題に鑑みてなされたもので、簡素な構成で、位置決め用余白部の形状を工夫して、対象物への貼付け位置決め性を維持しつつ、剥離用シートと支持シートの面積を縮小することで、製造コストの増加を抑制することができるようにした、デカールシートを提供することを目的とする。
【課題を解決するための手段】
【００１１】
上記目的を達成するため、本発明のデカールシートは、剥離用シートの上面に、長方形に形成された貼付けシートが複数配設されたデカールシートであって、前記貼付けシートの下面の一部を形成するとともに、下面に接着層を有するラベル表示シートと、前記貼付けシートの上側全面を形成するとともに、下面に粘着層を有する支持シートと、前記支持シートの長手方向の一端側部の、前記支持シートと前記ラベル表示シートとが重畳しない部分に設けられた、前記ラベル表示シートの貼付け対象物への貼付け位置を定める位置決め用余白部とを備え、前記位置決め用余白部の外側縁部が、前記長手方向に延びる少なくとも一辺の位置決め直線と、前記位置決め直線の対辺側を切欠き形成されてなる切欠き線とで形成されるとともに、前記複数の貼付けシートのうち、一の貼付けシートと、前記一の貼付けシートに対して反転させた他の一の貼付けシートとが、前記切欠き線を互いに接した状態で一対をなして前記剥離用シートの上面に配設されたことを特徴とする。
【００１２】
また、前記位置決め直線が互いに垂直に交わる二辺の直線からなるようにしてもよい。
【発明の効果】
【００１３】
本発明のデカールシートによれば、位置決め用余白部の面積が縮小されることで、支持シートの面積も縮小され、且つ、複数の貼付けシートを配設するのに必要な剥離用シートの面積も縮小されることで、製造コストの増加を抑制することができる。
また、位置決め用余白部に設けた２辺の位置決め線で、対象物への貼付け位置を調整したうえで、ラベル表示シートを貼り付けるため、対象物への貼付け位置決め性を維持しつつ、所定の位置に正確にラベル表示シートを貼り付けることができる。
【図面の簡単な説明】
【００１４】
【図１】本発明の一実施形態に係るデカールシートを層分解して示す断面図である。
【図２】本発明の一実施形態に係るデカールシートを示す斜視図である。
【図３】本発明に一実施形態に係る剥離用シートに複数の貼付けシートが配設された状態を示す上面図である。
【図４】本発明の一実施形態に係るラベル表示シートを貼付ける対象物を示す模式図である。
【図５】本発明に係るその他のデカールシートを示す上面図である。
【図６】従来のデカールシートの形状を示す斜視図である。
【図７】従来の剥離用シートに複数の貼付けシートが配設された状態を示す上面図である。
【発明を実施するための形態】
【００１５】
以下、図面により、本発明に係る一実施形態について説明する。
図１〜３は、本発明の一実施形態を説明するもので、図１はそのデカールシートを示す断面図、図２はそのデカールシートを示す斜視図、図３はその剥離用シートに複数の貼付けシートが配設された状態を示す上面図である。
本実施形態に係るデカールシート１は、図１に示すように、剥離用シート２と、この剥離用シート２の上面に配設された複数の貼付けシート９とを備え構成されている。
【００１６】
剥離用シート２は、上面にシリコン樹脂等を塗布して表面処理することで、上面に配設された貼付けシート９の剥離性を容易ならしめたもので、その形状は図３に示すように、左右が長手方向となるような長方形のシート状に形成されている。
貼付けシート９は、図１，２に示すように、帯状の長方形に形成され、詳細を後述する支持シート８と、支持シート８の長手方向の一端側部を形成する位置決め用余白部１０と、デカール（ラベル表示シート）５とを積層して構成されている。
【００１７】
また、貼付けシート９は、図３に示すように、剥離用シート２の上面に、ある一つの貼付けシート９の底辺９ａと、この貼付けシート９に対し、この貼付けシート９と同構成のものを１８０度回転させた他の貼付けシート９Ｂの上辺９ｂとが、同一直線上となり、かつ、互いの位置決め用余白部１０の傾斜線１０ｃが接する状態で一対をなし、この一対の貼付けシート９，９Ｂの組み合わせが、この例では剥離用シート２の短手方向に二対配設されている。
【００１８】
デカール５は、図１に示すように、貼付けシート９の下側面の一部を形成するもので、文字，図形，記号若しくは、これらの結合が複数表示されるラベル表示層４と、このラベル表示層４の下面に設けられた接着層３とを備えて構成されている。なお、本実施形態において、このラベル表示層４には、アルファベットのＡ，Ｂ，Ｃの３文字が横方向に等間隔で表示されている。このデカール５は、後述する支持シート８とともに、剥離用シート２から剥離され、対象物の所定の貼付け位置に接着層３が密着することで、貼り付けられるようになっている。
【００１９】
支持シート８は、図１に示すように、貼付けシート９の上側全面を形成する半透明の最上層７と、この最上層７の下面全面に設けられた粘着層６とを備え構成されている。また、この支持シート８の一端部には、詳細を後述する位置決め用余白部１０が所定の面積で形成されている。
位置決め用余白部１０は、図１に示すように、支持シート８の長手方向の一端側部であって、この支持シート８とラベル表示シート５とが重畳しない部分に形成されている。また、位置決め用余白部１０の外側縁部は、図２に示すように、支持シート９の長手方向に延び、貼付けシート９の底辺９ａと同一直線上にある第１の位置決め線１０ａと、この第１の位置決め線１０ａと略垂直に交わり、支持シート９の短手方向の長さよりも短い長さで形成された第２の位置決め線１０ｂと、この第２の位置決め線１０ｂの上先端部から、底辺９ａと略並行に対向する貼付けシート９の上辺９ｂの左先端部へと傾斜して延びた切欠き線（第１の位置決め線１０ａの対辺側を切欠き形成されてなる線）１０ｃとで形成されている。
【００２０】
［作用・効果］
以上のような構成により、本実施形態におけるデカールシートは以下のような作用・効果を奏する。
すなわち、一対の貼付けシート９，９Ｂは、ある一つの貼付けシート９の底辺９ａと、他の貼付けシート９Ｂの上辺９ｂとが同一直線上となり、かつ、位置決め用余白部１０の傾斜線１０ｃが互いに接した状態となるように、剥離用シート２の上面に配設される。
【００２１】
したがって、従来のデカールシートの形状に比べ、位置決め用余白部１０の面積が縮小されることで、支持シート８の面積も縮小され、且つ、複数の貼付けシート９を配設するのに必要な剥離用シート２の面積も縮小されることで、製造コストの増加を抑制することができる。
また、デカール５は、支持シート８とともに、剥離用シート２から剥離され、図４に示すように、車両の側面等（対象物）に定められた所定の貼付け位置と、支持シート８の位置決め用余白部１０に設けられた第１の位置決め線１０ａ及び、第２の位置決め線１０ｂとの二辺を重ね合わせて貼り付けられた後、上側の支持シート８を再剥離することで、対象物の所定の位置に正確に貼付けられるようになっている。    
【００２２】
したがって、従来の位置決め余白部を備えたデカールシートと同様に、二辺の位置決め線１０ａ，１０ｂで貼付け位置を定めることができるので、対象物への貼付け位置決め性を損なうことなく、デカール５を所定の位置に正確に貼付けることができる。
［その他］
なお、本発明は、上述の実施形態に限定されるものではなく、本発明の趣旨を逸脱しない範囲で、適宜変形して実施することが可能である。
【００２３】
例えば、上述の実施形態において、位置決め直線は第１の位置決め線１０ａと第２の位置決め線１０ｂとの２辺からなるものとして説明したが、例えば、図５（ａ）に示すように、この位置決め直線を第１の位置決め線１０ａの１辺のみとしたものとすることもできる。つまり、第２の位置決め直線１０ｂは点となるが、この点の位置を高精度に形成できれば、位置決め性を大きく損なうことなく、対象物の所定の貼付け位置にラベル表示シート５を正確に貼り付けることができる。
【００２４】
また、位置決め用余白部１０の切欠き線１０ｃは、第１の位置決め線１０ａに対して傾斜したものとして説明したが、例えば、図５（ｂ）に示すように、この切欠き線１０ｃを第１の位置決め線１０ａと略平行に設け、第２の位置決め線１０ｂを第１の位置決め線１０ａと切欠き線１０ｃとに垂直に交わるように設けることもできる。
また、切欠き線１０ｃは必ずしも直線のみで構成される必要はなく、直線と曲線とを組み合わせたものや、曲線のみのものであってもよい。
【００２５】
また、ラベル表示層４に表示される文字や記号等は、必ずしも横方向に並べられて表示される必要はなく、縦方向に並べられるものであってもよい。
また、図３に示す例では、長手方向（図中左右方向）に対をなす貼付けシート９，９Ｂが短手方向（図中上下方向）に２対設けられているが、各方向への材料取りの数は、これに限るものではない。
【符号の説明】
【００２６】
１  デカールシート
２  剥離用シート
３  接着層
４  ラベル表示層
５  デカール（ラベル表示シート）
６  粘着層
７  最上層
８  支持シート
９，９Ｂ  貼付けシート
１０  位置決め用余白部
１０ａ  第１の位置決め線
１０ｂ  第２の位置決め線
１０ｃ  切欠き線
【図１】
2011128196.tif 000003
【図２】
2011128196.tif 000004
【図３】
2011128196.tif 000005
【図４】
2011128196.tif 000006
【図５】
2011128196.tif 000007
【図６】
2011128196.tif 000008
【図７】
2011128196.tif 000009